(57)【要約】  表示中の画像に影響を与えることなく情報コードをディスプレイ上に表示させることが可能な情報コードの表示方法及び表示装置を提供することを目的とする。  単位表示期間毎にＮ個のサブフィールドによって中間輝度表示を行うにあたり、Ｎ個のサブフィールドの内の１つを２次元コードの如き情報コードを表示する為のサブフィールド、その他のサブフィールドを主画像を表示する為のサブフィールドとして用いる。
2007119523.tif 000002
【特許請求の範囲】
【請求項１】
主画像信号に基づく画像と共に情報コードをディスプレイに表示する表示方法であって、
単位表示期間毎にＮ個（Ｎは２以上の整数）のサブフィールド各々において、前記ディスプレイの各画素セルを点灯モード及び消灯モードの内の一方に設定するアドレス行程と、前記点灯モードに設定されている前記画素セルのみを前記サブフィールドに割り当てられている発光期間に亘り発光させるサスティン行程と、を実行し、
前記Ｎ個のサブフィールドの内の１のサブフィールドの前記アドレス行程では前記情報コードに応じて前記画素セル各々を前記点灯モード及び前記消灯モードの内の一方に設定し、
前記Ｎ個のサブフィールドの内の前記１のサブフィールドを除くサブフィールド各々の前記アドレス行程では前記主画像信号に応じて前記画素セル各々を前記点灯モード及び前記消灯モードの内の一方に設定することを特徴とする情報コードの表示方法。
【請求項２】
前記Ｎ個のサブフィールド各々に割り当てられている前記発光期間の内で前記１のサブフィールドに割り当てられている前記発光期間が最小であることを特徴とする請求項１記載の情報コードの表示方法。
【請求項３】
前記１のサブフィールドの前記アドレス行程では前記画素セル各々の内で青色で発光する青色画素セルのみを対象として当該画素セルを前記情報コードに応じて前記点灯モード及び前記消灯モードの内の一方に設定すると共に、青色以外の色で発光する前記画素セル各々を全て前記消灯モードに設定することを特徴とする請求項１記載の情報コードの表示方法。
【請求項４】
前記点灯モードに設定された前記青色画素セルの総数に応じて前記主画像信号における青色成分を低減させることを特徴とする請求項３記載の情報コードの表示方法。
【請求項５】
主画像信号に基づく画像と共に情報コードをディスプレイ上に表示する表示装置であって、
単位表示期間毎にＮ個（Ｎは２以上の整数）のサブフィールド各々において前記ディスプレイの各画素セルを点灯モード及び消灯モードの内の一方に設定するアドレス手段と、
前記Ｎ個のサブフィールド各々において前記点灯モードに設定されている前記画素セルのみを前記サブフィールドに割り当てられている発光期間に亘り発光させるサスティン手段と、を備え、
前記アドレス手段は、前記Ｎ個のサブフィールドの内の１のサブフィールドでは前記情報コードに応じて前記画素セル各々を前記点灯モード及び前記消灯モードの内の一方に設定し、前記Ｎ個のサブフィールドの内の前記１のサブフィールドを除くサブフィールド各々では前記主画像信号に応じて前記画素セル各々を前記点灯モード及び前記消灯モードの内の一方に設定することを特徴とする表示装置。
【請求項６】
前記Ｎ個のサブフィールド各々に割り当てられている前記発光期間の内で前記１のサブフィールドに割り当てられている前記発光期間が最小であることを特徴とする請求項５記載の表示装置。
【請求項７】
前記アドレス手段は、前記１のサブフィールドでは前記画素セル各々の内で青色で発光する青色画素セルのみを対象として当該画素セルを前記情報コードに応じて前記点灯モード及び前記消灯モードの内の一方に設定すると共に、青色以外の色で発光する前記画素セル各々を全て前記消灯モードに設定することを特徴とする請求項５記載の表示装置。
【請求項８】
前記点灯モードに設定された前記青色画素セルの総数を積算する青色積算手段と、前記総数に応じて前記主画像信号における青色成分を低減させる色補正手段と、を更に備えたことを特徴とする請求項７記載の表示装置。
【請求項９】
前記１のサブフィールドの直前にはブランキング期間が設けられていることを特徴とする請求項６記載の表示装置。
【発明の詳細な説明】
【技術分野】
【０００１】
本発明は、情報コードをディスプレイ上に表示する表示方法及び表示装置に関する。
【背景技術】
【０００２】
現在、１次元コードとしてのバーコード、或いは２次元コードとしてのＱＲ（Quick Response）コード等の情報コードが利用されている。又、近年、情報データをＱＲコード化して携帯電話機等のディスプレイ上に表示させ、このディスプレイ上に表示されたＱＲコードを撮影することにより、上記情報データを取得するシステムが提案された（例えば特許文献１の図１参照）。【０００３】
しかしながら、ディスプレイ全面に所望の画像を表示中にＱＲコードの如き情報コードをもこのディスプレイ上に表示させると所望画像の一部を見ることができなくなるという問題があった。
【特許文献１】特開２００２−１０９４２１号公報
【発明の開示】
【発明が解決しようとする課題】
【０００４】
本発明は、表示画像に影響を与えることなくこの画像中に情報コードを重畳表示させることが可能な情報コードの表示方法及び表示装置を提供するものである。
【課題を解決するための手段】
【０００５】
本発明による情報コードの表示方法は、主画像信号に基づく画像と共に情報コードをディスプレイに表示する表示方法であって、単位表示期間毎にＮ個（Ｎは２以上の整数）のサブフィールド各々において、前記ディスプレイの各画素セルを点灯モード及び消灯モードの内の一方に設定するアドレス行程と、前記点灯モードに設定されている前記画素セルのみを前記サブフィールドに割り当てられている発光期間に亘り発光させるサスティン行程と、を実行し、前記Ｎ個のサブフィールドの内の１のサブフィールドの前記アドレス行程では前記情報コードに応じて前記画素セル各々を前記点灯モード及び前記消灯モードの内の一方に設定し、前記Ｎ個のサブフィールドの内の前記１のサブフィールドを除くサブフィールド各々の前記アドレス行程では前記主画像信号に応じて前記画素セル各々を前記点灯モード及び前記消灯モードの内の一方に設定する。【０００６】
又、本発明による表示装置は、主画像信号に基づく画像と共に情報コードをディスプレイ上に表示する表示装置であって、単位表示期間毎にＮ個（Ｎは２以上の整数）のサブフィールド各々において前記ディスプレイの各画素セルを点灯モード及び消灯モードの内の一方に設定するアドレス手段と、前記Ｎ個のサブフィールド各々において前記点灯モードに設定されている前記画素セルのみを前記サブフィールドに割り当てられている発光期間に亘り発光させるサスティン手段と、を備え、前記アドレス手段は、前記Ｎ個のサブフィールドの内の１のサブフィールドでは前記情報コードに応じて前記画素セル各々を前記点灯モード及び前記消灯モードの内の一方に設定し、前記Ｎ個のサブフィールドの内の前記１のサブフィールドを除くサブフィールド各々では前記主画像信号に応じて前記画素セル各々を前記点灯モード及び前記消灯モードの内の一方に設定する。
【発明の効果】
【０００７】
入力画像信号に応じた主画像中に不可視の状態で２次元コードの如き情報コードを重畳表示させることが可能となる。
【図面の簡単な説明】
【０００８】
【図１】本発明に基づく電子黒板の概略構成を示す図である。
【図２】図１に示されるＰＤＰ１００における画素セルＰ及び画素ブロックＰＢの配列の一部を示す図である。
【図３】ＰＤＰ１００を駆動する際の発光駆動シーケンスの一例を示す図である。
【図４】図３に示される発光駆動シーケンスに従って主画像表示駆動行程（サブフィールドＳＦ１〜ＳＦ８）を実行した場合における発光パターンを示す図である。
【図５】ＰＤＰ１００に表示される黒板画像の一例を示す図である。
【図６】図１に示される電子チョーク９の内部構成を示す図である。
【図７】図６に示されるフレーム同期検出回路９３の内部構成の一例を示す図である。
【図８】ＰＤＰ１００を駆動する際の発光駆動シーケンスの他の一例を示す図である。
【図９】図８に示される発光駆動シーケンスに従って主画像表示駆動行程（サブフィールドＳＦ１〜ＳＦ８）を実行した場合における発光パターンを示す図である。
【図１０】青色の画素セルＰBによる発光時の残光特性、その他の色の画素セルＰによる発光時の残光特性及び画素セルＰの放電時において放射される赤外線の残光特性を夫々示す図である。
【図１１】電子黒板の他の構成を示す図である。
【図１２】本発明に基づく情報提供システムの構成を示す図である。
【図１３】図１２に示されるディスプレイ装置において表示される画像Ａ〜Ｃ、及び各画像に関連するＵＲＬ情報が２次元コードにて表示される画素ブロックＰＢの領域を示す図である。
【符号の説明】
【０００９】
3,14    ＳＦ画素駆動データ生成回路
4       駆動制御回路
5       アドレスドライバ
7,16    ２次元コード変換回路
9       電子チョーク
12      端末装置
19      カメラ付き携帯電話機
91      イメージセンサ
100     プラズマディスプレイパネル
【発明を実施するための最良の形態】
【００１０】
単位表示期間毎にＮ個のサブフィールドによって中間輝度表示を行うにあたり、Ｎ個のサブフィールドの内の１つを１次元コード又は２次元コードの如き情報コードを表示する為のサブフィールド、その他のサブフィールドを主画像を表示する為のサブフィールドとして用いる。この際、Ｎ個のサブフィールド各々に割り当てられている発光期間の内で、上記の如き情報コードを表示する為のサブフィールドに割り当てられている発光期間を最小とする。更に、この情報コードを表示する為のサブフィールドでは、青色で発光する画素セルのみを発光対象とし、その他の色（赤、緑）で発光する画素セルを消灯状態に固定する。
【実施例１】
【００１１】
図１は、本発明を採用することにより、使用者が電子チョーク（後述する）の先端をプラズマディスプレイパネルの画面に接触させながら移動させた際の移動軌跡をそのままこの画面上に表示させる電子黒板の構成を示す図である。【００１２】
図１において、電子黒板本体としてのプラズマディスプレイパネル１００（以下、ＰＤＰ１００と称する）は、黒板面を担う透明な前面基板(図示せぬ)と、背面基板(図示せぬ)とを備える。前面基板及び背面基板間には放電ガスが封入された放電空間が存在する。前面基板上には、夫々表示面の水平方向（横方向）に伸長している複数の行電極が形成されている。一方、背面基板上には、表示面の垂直方向（縦方向）に伸長している複数の列電極が形成されている。各行電極と列電極との交叉部(放電空間を含む)には画素セルが形成されている。尚、画素セルは、図１に示す如く、赤色で発光する画素セルＰR、緑色で発光する画素セルＰG、及び青色で発光する画素セルＰBの３種類からなる。【００１３】
黒板面画像データメモリ１には、ＰＤＰ１００の画面全面に表示させるべき黒板面（例えば黒一色）を表す黒板面画像データが予め記憶されている。黒板面画像データメモリ１は、上記黒板面画像データを順次読み出し、これを黒板面画像データＤBBとして画像重畳回路２に供給する。【００１４】
画像重畳回路２は、黒板面画像データＤBBにて示される黒板面画像と、外部入力画像データ信号ＤINにて示される画像と、トレース画像データ信号ＤTR（後述する）にて示される画像とを重畳させた画像を各画素セルＰ毎に示す画素データＰＤを生成し、ＳＦ画素駆動データ生成回路３及び駆動制御回路４の各々に供給する。尚、画像重畳回路２は、駆動制御回路４（後述する）から黒板表示解除信号が供給された場合には、外部入力画像データ信号ＤINにて示される画像と、トレース画像データ信号ＤTRにて示される画像とを重畳させた画像を各画素セルＰ毎に示す画素データＰＤをＳＦ画素駆動データ生成回路３及び駆動制御回路４の各々に供給する。【００１５】
ＳＦ画素駆動データ生成回路３は、各画素データＰＤ毎に、その画素データＰＤによって示される輝度レベルに応じて、サブフィールドＳＦ１〜ＳＦ８（後述する）各々において各画素セルＰの状態を点灯モード及び消灯モードの内の一方の状態に設定させるべき画素駆動データＧＤ１〜ＧＤ８を生成してアドレスドライバ５に供給する。【００１６】
座標データメモリ６には、隣接する複数の画素セルＰからなる画素ブロック毎に、その画素ブロックが位置するＰＤＰ１００の画面内での座標位置を示す座標データが予め記憶されている。例えば、図２に示す如き、ｎ行×ｍ列分の画素セルＰからなる画素ブロックＰＢ（太線枠にて囲まれた領域）毎に、その画素ブロックＰＢにおけるＰＤＰ１００の画面内での座標位置を示す座標データが対応づけして座標データメモリ６に記憶されているのである。座標データメモリ６は、かかる座標データを読み出して２次元コード変換回路７に供給する。【００１７】
２次元コード変換回路７は、先ず、各画素ブロックＰＢに対応した上記座標データを（ｎ×ｍ）ビットの２次元コードに変換する。そして、２次元コード変換回路７は、上記２次元コードの各ビットを画素ブロックＰＢ内の（ｎ×ｍ）個の画素セルＰ各々に対応づけし、各画素セルＰに対応づけされたビットをその画素セルＰに対応した画素駆動データＧＤ０として、アドレスドライバ５に供給する。【００１８】
駆動制御回路４は、サブフィールド法に基づく図３に示されるが如き発光駆動シーケンスに基づき、１フレーム（又は１フィールド）の表示期間内において、２次元コード表示駆動行程と、主画像表示駆動行程と、を順次実行する。この際、主画像表示駆動行程では、駆動制御回路４は、図３に示す如き８つのサブフィールドＳＦ１〜ＳＦ８各々においてアドレス行程Ｗ及びサスティン行程Ｉを順次実行する。尚、駆動制御回路４は、サブフィールドＳＦ１に限り、アドレス行程Ｗに先立ち、リセット行程Ｒを実行する。又、２次元コード表示駆動行程では、駆動制御回路４は、図３に示す如きサブフィールドＳＦ０において、リセット行程Ｒ、アドレス行程Ｗ及びサスティン行程Ｉを順次実行する。尚、上記主画像表示駆動行程の後には、所定期間長を有するブランキング期間ＢＴが設けられている。【００１９】
駆動制御回路４は、上記リセット行程Ｒ、アドレス行程Ｗ及びサスティン行程Ｉ各々の実行によって、ＰＤＰ１００を以下の如く駆動すべき各種制御信号を発生して、アドレスドライバ５及び行電極ドライバ８の各々に供給する。【００２０】
この際、上記リセット行程Ｒの実行に応じて、行電極ドライバ８は、ＰＤＰ１００の全画素セルＰの状態を点灯モードの状態に初期化すべきリセットパルスをＰＤＰ１００の全行電極に印加する。【００２１】
次に、アドレス行程Ｗの実行に応じて、アドレスドライバ５は、このアドレス行程Ｗが属するサブフィールドＳＦに対応した画素駆動データＧＤに応じた電圧を有する画素データパルスを発生する。すなわち、アドレスドライバ５は、例えばサブフィールドＳＦ１のアドレス行程Ｗでは上記画素駆動データＧＤ１に応じた画素データパルスを発生し、サブフィールドＳＦ２のアドレス行程Ｗでは上記画素駆動データＧＤ２に応じた画素データパルスを発生する。この際、例えば、画素セルＰを点灯モードの状態に設定させることを示す画素駆動データＧＤが供給された場合には、アドレスドライバ５は、高電圧の画素データパルスを発生する一方、消灯モードの状態に設定させることを示す画素駆動データＧＤが供給された場合には、低電圧の画素データパルスを発生する。【００２２】
この間、行電極ドライバ８は、１表示ライン分ずつの画素データパルス群の印加タイミングに同期して、走査パルスをＰＤＰ１００の行電極各々に順次印加して行く。かかる動作により、走査パルスの印加が為された行電極に属する１表示ライン分の画素セルＰ各々が、上記画素データパルスに応じた状態（点灯モード又は消灯モード）に設定される。【００２３】
次に、サスティン行程Ｉの実行に応じて、行電極ドライバ８は、そのサスティン行程Ｉが属するサブフィールドＳＦに割り当てられている発光期間に亘り、上記点灯モード状態にある画素セルＰのみを繰り返し放電発光させるべきサスティンパルスをＰＤＰ１００の全行電極に印加する。尚、図３に示される実施例においては、サブフィールドＳＦ０には最小の発光期間で最小のサスティンパルス数が割り当てられている。【００２４】
ここで、図３に示す如き主画像表示駆動行程（サブフィールドＳＦ１〜ＳＦ８）の実行によれば、上記画素データＰＤに基づく画素駆動データＧＤ１〜ＧＤ８に応じて、図４に示す如くサブフィールドＳＦ１から連続したサブフィールドＳＦ（白丸にて示す）各々のサスティン行程Ｉにて画素セルＰの発光が為される。つまり、上記画素データＰＤによって示される輝度レベルに応じて、図４に示す如き９通りの発光パターの内のいずれか１によって画素セルＰの発光が為されるのである。この際、１フレーム表示期間内での総発光期間に対応した中間輝度が視覚される。すなわち、図４に示す如き９通りの発光パターンによって、上記画素データＰＤによって示される輝度レベルを９段階にて表すのである。実際は、ディザ処理や誤差拡散処理により多階調化されて表現される。黒板面（例えば黒一色）を表す黒板面画像データＤBBに基づいて生成された画素データＰＤによれば、例えば図５（ａ）に示す如き黒板面を表す画像がＰＤＰ１００の全画面に表示される。【００２５】
一方、図３に示す如き２次元コード表示駆動行程（サブフィールドＳＦ０）の実行によれば、上記座標データに基づく画素駆動データＧＤ０に応じて、サブフィールドＳＦ０のサスティン行程Ｉにて各画素セルＰの発光が為される。すなわち、図２に示す如き画素ブロックＰＢ各々の座標位置を表す２次元コードに基づく点灯及び消灯パターンが、その画素ブロックＰＢの座標位置上において夫々形成されるのである。例えば、図２において、ＰＤＰ１００画面内の第１行・第１列に位置する画素ブロックＰＢ(1,1)に属する（ｎ×ｍ）個の画素セルＰ各々では、第１行・第１列であることを表す点灯及び消灯パターンにて発光が為される。又、図２において第２行・第１列に位置する画素ブロックＰＢ(2,1)に属する（ｎ×ｍ）個の画素セルＰ各々では、第２行・第１列であることを表す点灯及び消灯パターンにて発光が為される。尚、上述した如くサブフィールドＳＦ０のサスティン行程Ｉに割り当てられている発光期間は、上記２次元コードに基づく点灯及び消灯パターンを視覚することが出来ない程度に短期間に設定されている。又、サブフィールドＳＦ０の直前には、図３に示す如きブランキング期間ＢＴが存在する。これにより、サブフィールドＳＦ０において放出された光を以下の電子チョークにて取り込む際における、サブフィールドＳＦ８での残光の影響が排除される。【００２６】
電子チョーク９は、図２に示す如き画素ブロックＰＢ単位にてＰＤＰ１００の画面上を撮影して得られた撮影画像信号中から上記２次元コードに基づく点灯及び消灯パターンを抽出し、この点灯及び消灯パターンに対応した座標位置を示す座標信号を無線送信する。【００２７】
図６は、かかる電子チョーク９の内部構成の一例を示す図である。【００２８】
図６において、対物レンズ９０は、ＰＤＰ１００の画面から照射された表示光を、各画素ブロックＰＢの領域単位にて取り込みこれを集光したものを、赤色及び緑色成分をカットする光学フィルタ８９を介してイメージセンサ９１に導出する。ノイズセンサ９２は、ＰＤＰ１００における各画素セルＰにおいて生起される放電に伴ってＰＤＰ１００の画面から放出されるノイズ、つまり赤外線、紫外線、又は電磁波の放出を検出した時に論理レベル１となるパルス状のノイズ検出信号ＮＺを発生しこれをフレーム同期検出回路９３に供給する。この際、１フレーム（又は１フィールド）表示期間内においてサブフィールドＳＦ０〜ＳＦ８の実行期間中は各種放電が生起されるのでこの放電が生起される度に、図３に示す如く論理レベル１となるパルス状のノイズ検出信号ＮＺが生成される。ところが、サブフィールドＳＦ８終了後のブランキング期間ＢＴでは放電が生起されないので、この間、図３に示されるようにノイズ検出信号ＮＺは論理レベル０となる。フレーム同期検出回路９３は、ノイズ検出信号ＮＺに応じて、図３に示されるサブフィールドＳＦ０のサスティン行程Ｉの実行期間中のみ論理レベル１、その他の期間は論理レベル０となる画像取込信号ＣＶを生成し、これをイメージセンサ９１に供給する。【００２９】
図７は、かかるフレーム同期検出回路９３の内部構成の一例を示す図である。【００３０】
図７において、タイマ９３０は、所定周波数のクロック信号（図示せぬ）のパルス数を初期値０から計数し、その計数値に対応した経過時間を表す経過時間信号を比較器９３１に供給する。比較器９３１は、かかる経過時間信号によって示される時間が図３に示す如きブランキング期間ＢＴと同一となったときに図３に示す如く論理レベル１となるフレーム同期信号ＦＳを生成し、これを遅延回路９３２に供給する。遅延回路９３２は、かかるフレーム同期信号ＦＳを図３に示す如きサブフィールドＳＦ０のリセット行程Ｒ及びアドレス行程Ｗに費やされる時間ＴRWだけ遅延させてからパルス発生回路９３３に供給する。パルス発生回路９３３は、遅延回路９３２から供給されたフレーム同期信号に応じて、サブフィールドＳＦ０のサスティン行程Ｉに費やされる時間に亘り論理レベル１となる図３に示す如き画像取込信号ＣＶを生成し、これをイメージセンサ９１に供給する。【００３１】
ここで、図６に示されるイメージセンサ９１は、対物レンズ９０から供給された表示光を図３に示す如き論理レベル１の画像取込信号ＣＶが供給されている間だけ取り込み、その表示光に対応した画像信号を撮影画像信号ＳＧとして画像処理回路９４に供給する。すなわち、イメージセンサ９１は、２次元コード表示駆動行程（サブフィールドＳＦ０）の実行によって表示された点灯及び消灯パターン、つまり画素ブロックＰＢの座標位置を示す２次元コードに対応した点灯及び消灯パターンを表す撮影画像信号ＳＧを画像処理回路９４に供給するのである。電子チョーク９の先端部に設けられた筆圧センサ９５は、その先端部がＰＤＰ１００の画面上に押しつけられている間に亘り、黒板面への描画中であることを示す描画実行信号を生成し、これを画像処理回路９４に供給する。画像処理回路９４は、かかる描画実行信号が供給されている間に限り、上記イメージセンサ９１から供給された撮影画像信号ＳＧを取り込み、これを座標情報抽出回路９６に供給する。尚、画像処理回路９４は、撮影画像信号ＳＧによって示される輝度レベルが所定輝度よりも高い輝度側に偏っている場合には、外光が強いと判断してこれを抑制させるべきオフセット信号をイメージセンサ９１に供給する。この際、イメージセンサ９１は、撮影画像信号ＳＧに対して、上記オフセット信号に応じたコントラスト調整を施す。座標２次元コードメモリ９７には、予め、図２に示す如き画素ブロックＰＢ各々のＰＤＰ１００画面上での座標位置を示す座標データと、この座標データを各画素ブロックＰＢ単位にて２次元コード化した２次元コードと、が対応づけされて記憶されている。座標情報抽出回路９６は、先ず、画像処理回路９４から供給された撮影画像信号に基づき、図２に示す如き画素ブロックＰＢ単位にてその画素ブロックＰＢ内での点灯及び消灯パターンに対応した２次元コードを生成する。そして、座標情報抽出回路９６は、この２次元コードと一致する２次元コードに対応した座標データを上記座標２次元コードメモリ９７から読み出し、これを座標データＺＤとして無線送信回路９８に供給する。無線送信回路９８は、かかる座標データＺＤに変調処理を施してこれを無線送信する。【００３２】
すなわち、電子チョーク９は、ＰＤＰ１００の画面上を撮影して得られた撮影画像信号中から、図３に示す如きサブフィールドＳＦ０のサスティン行程Ｉの実行期間中に表示された２次元コード（座標データを示す）を抽出し、この２次元コードによって示される座標位置情報（ＺＤ）を無線送信するのである。尚、図６に示される電子チョーク９は、イメージセンサ９１により画素セルＰR、ＰG及びＰBが発する光を撮影するようにしているが、画素セルの発光時には赤外線も放出されるので、このイメージセンサ９１としては、可視光から赤外線までセンシング可能なものを用いる。【００３３】
図１に示される受信回路１０は、電子チョーク９からの送信波を受信し、これを復調することにより上記座標データＺＤを復元してトレース画像データ生成回路１１に供給する。トレース画像データ生成回路１１は、受信回路１０から順次供給される座標データＺＤにて示される座標位置各々上を順次トレースする直線又は曲線を表す画像データを生成し、これをトレース画像データ信号ＤTRとして上記画像重畳回路２に供給する。これにより、かかるトレース画像データ信号ＤTRを上記黒板面画像データＤBBに重畳させて得られた画素データＰＤに応じて、図３に示す如きサブフィールドＳＦ１〜ＳＦ８からなる主画像表示駆動行程に従った駆動が為される。この際、電子チョーク９の先端部をＰＤＰ１００の画面上に接触させつつその先端部を移動させると、その移動軌跡に沿った直線又は曲線画像が図５（ｂ）に示す如く上記黒板面画像データＤBBにて示される黒板面画像中に重畳表示される。【００３４】
このように、図１に示される電子黒板においては、黒板画像を表示させる為のサブフィールド（ＳＦ１〜ＳＦ８）と、画面上の座標位置を示す２次元コードを表示させる為の２次元コード表示用サブフィールド（ＳＦ０）とによって中間調輝度表示を実施するようにしている。この際、２次元コード表示用サブフィールドに割り当てられている発光期間はその点灯及び消灯パターンを視覚することが出来ない程度に短いので、実際には、ＰＤＰ１００の画面上において、図５（ａ）又は図５（ｂ）に示す如き黒板画像のみが視覚されることになる。そして、かかる２次元コード表示用のサブフィールド（ＳＦ０）によって表示（不可視）された２次元コードを電子チョーク９側において撮影して読み取ることにより、この読み取った座標位置に対応したトレース画像信号を生成して黒板面に重畳表示させるのである。【００３５】
よって、図１に示される電子黒板によれば、ディスプレイ画面上の座標位置を検出する為のタッチパネル等を装着せずとも、電子チョークによって画面上をトレースした際の各座標位置を読み取ることが可能となる。【００３６】
尚、図３に示される主画像表示駆動行程では、先頭のサブフィールドＳＦ１から連続したサブフィールドにて画素セルＰを発光させることにより、８つのサブフィールドＳＦ１〜ＳＦ８にて９階調分の中間輝度を表現する駆動（図４に示す）を実施しているが、かかる駆動方法に限定されるものではない。【００３７】
図８は、主画像表示駆動行程において、８個のサブフィールドＳＦ１〜ＳＦ８にて２8階調分の中間輝度を表現する場合に採用する発光駆動シーケンスの一例を示す図である。【００３８】
図８において、サブフィールドＳＦ０による２次元コード表示駆動行程では、駆動制御回路４は、図３と同様にリセット行程Ｒ、アドレス行程Ｗ及びサスティン行程Ｉを順次実行する。一方、主画像表示駆動行程では、駆動制御回路４は、サブフィールドＳＦ１〜ＳＦ８各々においてリセット行程Ｒ、アドレス行程Ｗ及びサスティン行程Ｉを順次実行する。尚、リセット行程Ｒ、アドレス行程Ｗ及びサスティン行程Ｉ各々の動作については、図３に示される動作と同一である。【００３９】
図８に示す発光駆動シーケンスによれば、主画像表示駆動行程（サブフィールドＳＦ１〜ＳＦ８）では、画素データＰＤに基づく画素駆動データＧＤ１〜ＧＤ８に応じて、図９に示す如き２8通りの発光パターンに基づく駆動が為される。この際、各発光パターン毎に、その１フレーム（又は１フィールド）表示期間内での総発光期間に対応した中間輝度が表現される。つまり、図８に示す発光駆動シーケンスによれば、主画像表示駆動行程において２５６階調分の中間輝度が表現されるのである。【００４０】
尚、上記実施例においては、座標データに基づく２次元パターンを表示する為に専用のサブフィールドＳＦ０を設けるようにしているが、サブフィールドＳＦ１〜ＳＦ８の内で最も発光期間が小なるサブフィールドＳＦ１にて座標データに基づく２次元パターンを表示するようにしても良い。この際、ＳＦ画素駆動データ生成回路３において生成された画素駆動データＧＤ１〜ＧＤ８の内のＧＤ２〜ＧＤ８が夫々サブフィールドＳＦ２〜ＳＦ８各々に割り当てられ、２次元コード変換回路７において生成された画素駆動データＧＤ０がサブフィールドＳＦ１に割り当てられる。【００４１】
又、上記実施例では、図３又は図８に示す如き２次元コード表示駆動行程（サブフィールドＳＦ０）において、上記座標データに基づく画素駆動データＧＤ０に応じて各画素セルＰを発光させるようにしているが、この際、全ての画素セルＰを発光対象とする必要はない。【００４２】
例えば、３種類の画素セル（ＰR、ＰG及びＰB）の内で青色の画素セルＰBでの全輝度に対する寄与度が最も低い。そこで、２次元コード表示駆動行程を担うサブフィールドＳＦ０では、３種類の画素セル（ＰR、ＰG及びＰB）の内の青色の画素セルＰBのみを画素駆動データＧＤ０に応じた発光駆動の対象とする。つまり、画素駆動データＧＤ０のアドレス行程Ｗでは、画素駆動データＧＤ０の内容に関わらず、全ての画素セルＰR及びＰGを消灯モードに固定設定するのである。これにより、２次元コード表示に伴う画質劣化が抑制される。更に、図１０（ａ）に示す如く青色の画素セルＰBによる発光時の残光は図１０（ｂ）に示されるが如き他の色の画素セルＰに比して短く、且つ短期間内に高輝度が得られる。又、画素セルＰの放電時において放射される赤外線のレベルも図１０（ｃ）に示す如く、短期間内においてピークとなり直ちに収束する。これにより、電子チョーク９の座標情報抽出回路９３での抽出が精度良く為されるようになる。尚、サブフィールドＳＦ０におけるリセット行程Ｒにおいてリセット発光と呼ばれる赤、青、緑色の全色の発光が行われる。リセット発光の残光の悪影響を避け、青色のみの抽出精度を上げるべく、電子チョーク９の対物レンズ９０及びイメージセンサ９１間の光路中に赤及び緑色をカットする特定波長カット用の光学フィルタ８９（赤外光及び青色光のみの波長を通過するフィルタでも良い）を設けるようにしている。【００４３】
又、２次元コード表示駆動行程（サブフィールドＳＦ０）において上述した如く青色の画素セルＰBのみを発光させたが故に、図５（ａ）又は図５（ｂ）に示す如き黒板面画像が青みがかってしまう場合には、画素データＰＤに対して青色成分を低減させるべき補正処理を施すようにしても良い。【００４４】
図１１は、かかる点に鑑みて為された電子黒板の改善例を示す図である。【００４５】
尚、図１１に示される電子黒板においては、青色積算回路２１及び色補正回路２２を除く他の構成は図１に示されるものと同一である。よって、以下に青色積算回路２１及び色補正回路２２各々の動作のみ説明する。【００４６】
青色積算回路２１は、上記画素駆動データＧＤ０に基づき、１画面内において点灯モードに設定される画素セルＰBの総数を算出し、その総数に応じた青色低減量を示す青色低減信号を色補正回路２２に供給する。色補正回路２２は、画像重畳回路２から供給された画素データＰＤの内で青色成分に対応した画素データＰＤによって示される輝度レベルを、上記青色低減信号にて示される青色低減量の分だけ低下させたものをＳＦ画素駆動データ生成回路３及び駆動制御回路４各々に供給する。尚、色補正回路２２は、赤色及び緑色成分に対応した画素データＰＤに対しては、これをそのままＳＦ画素駆動データ生成回路３及び駆動制御回路４各々に供給する。【００４７】
よって、青色積算回路２１及び色補正回路２２によれば、座標データに対応した２次元コード表示による青色の度合いに応じた分だけ、黒板面画像全体の青成分が低減されて画質劣化が抑制される。
【実施例２】
【００４８】
図１２は、本発明を採用することにより、インターネット網を介して供給された各種画像を表示しつつ、その画像に関連するＵＲＬ（Uniform Resource Locator）を表す２次元コードをその画像中に表示（不可視）する情報提供システムの構成を示す図である。【００４９】
図１２において、端末装置１２は、先ず、インターネット１３にアクセスすることにより、かかるインターネット１３上から各種の情報データを取り込む。次に、端末装置１２は、その情報データに含まれる各種の画像コンテンツに対応した画像信号を画像信号ＶＳとしてＳＦ画素駆動データ生成回路１４、表示位置設定回路１５及び駆動制御回路４各々に供給する。更に、端末装置１２は、上記情報データに含まれるＵＲＬ、つまり各画像コンテンツに関連するＵＲＬを示すＵＲＬ信号を２次元コード変換回路１６に供給する。【００５０】
ＳＦ画素駆動データ生成回路１４は、画像信号ＶＳによって示される輝度レベルに応じて、図３又は図８に示す如きサブフィールドＳＦ１〜ＳＦ８各々において各画素セルＰの状態を点灯モード及び消灯モードの内の一方の状態に設定させるべき画素駆動データＧＤ１〜ＧＤ８を生成してアドレスドライバ５に供給する。【００５１】
表示位置設定回路１５は、上記画像信号ＶＳに基づき、上記画像コンテンツの各々が表示される画面内の領域の位置を示す表示位置情報を２次元コード変換回路１６に供給する。【００５２】
２次元コード変換回路１６は、先ず、上記ＵＲＬ信号に基づき各画像コンテンツ毎のＵＲＬを（ｎ×ｍ）ビットの２次元コードに変換する。次に、２次元コード変換回路１６は、上記２次元コードの各ビットを、上記表示位置情報にて示される領域に属する各画素ブロックＰＢ（図２にて示す）内の（ｎ×ｍ）個の画素セルＰ各々に対応づけする。そして、２次元コード変換回路１６は、各画素セルＰに対応づけされたビットをその画素セルＰに対応した画素駆動データＧＤ０として、アドレスドライバ５に供給する。【００５３】
プラズマディスプレイパネルとしてのＰＤＰ１００は、透明な前面基板(図示せぬ)と、背面基板(図示せぬ)とを備える。前面基板及び背面基板間には放電ガスが封入された放電空間が存在する。前面基板上には、夫々表示面の水平方向（横方向）に伸長している複数の行電極が形成されている。一方、背面基板上には、表示面の垂直方向（縦方向）に伸長している複数の列電極が形成されている。各行電極と列電極との交叉部(放電空間を含む)には画素セルＰが形成されている。【００５４】
駆動制御回路４は、サブフィールド法に基づく図３又は図８に示されるが如き発光駆動シーケンスに基づき、１フレーム（又は１フィールド）の表示期間内において２次元コード表示駆動行程と、主画像表示駆動行程と、を順次実行する。この際、主画像表示駆動行程では、駆動制御回路４は、図３又は図８に示す如き８つのサブフィールドＳＦ１〜ＳＦ８各々においてアドレス行程Ｗ及びサスティン行程Ｉを順次実行する。尚、駆動制御回路４は、図８に示す発光駆動シーケンスに従った駆動を実施する場合には、サブフィールドＳＦ１〜ＳＦ８各々においてアドレス行程Ｗに先立ちリセット行程Ｒを実行する。一方、図３に示す発光駆動シーケンスに従った駆動を実施する場合には、駆動制御回路４は、サブフィールドＳＦ１のみでアドレス行程Ｗに先立ち、リセット行程Ｒを実行する。２次元コード表示駆動行程では、駆動制御回路４は、図３又は図８に示す如きサブフィールドＳＦ０において、リセット行程Ｒ、アドレス行程Ｗ及びサスティン行程Ｉを順次実行する。【００５５】
駆動制御回路４は、上記リセット行程Ｒ、アドレス行程Ｗ及びサスティン行程Ｉ各々の実行によって、ＰＤＰ１００を以下の如く駆動すべき各種制御信号を発生して、アドレスドライバ５及び行電極ドライバ８の各々に供給する。【００５６】
この際、上記リセット行程Ｒの実行に応じて、行電極ドライバ８は、ＰＤＰ１００の全画素セルＰの状態を点灯モードの状態に初期化すべきリセットパルスをＰＤＰ１００の全行電極に印加する。【００５７】
次に、アドレス行程Ｗの実行に応じて、アドレスドライバ５は、このアドレス行程Ｗが属するサブフィールドＳＦに対応した画素駆動データＧＤに応じた電圧を有する画素データパルスを発生する。すなわち、アドレスドライバ５は、例えばサブフィールドＳＦ１のアドレス行程Ｗでは上記画素駆動データＧＤ１に応じた画素データパルスを発生し、サブフィールドＳＦ２のアドレス行程Ｗでは上記画素駆動データＧＤ２に応じた画素データパルスを発生する。この際、例えば、画素セルＰを点灯モードの状態に設定させることを示す画素駆動データＧＤが供給された場合には、アドレスドライバ５は、高電圧の画素データパルスを発生する一方、消灯モードの状態に設定させることを示す画素駆動データＧＤが供給された場合には、低電圧の画素データパルスを発生する。【００５８】
この間、行電極ドライバ８は、１表示ライン分ずつの画素データパルス群の印加タイミングに同期して、走査パルスをＰＤＰ１００の行電極各々に順次印加して行く。かかる動作により、走査パルスの印加が為された行電極に属する１表示ライン分の画素セルＰ各々が、上記画素データパルスに応じた状態（点灯モード又は消灯モード）に設定される。【００５９】
次に、サスティン行程Ｉの実行に応じて、行電極ドライバ８は、そのサスティン行程Ｉが属するサブフィールドＳＦに割り当てられている発光期間に亘り、上記点灯モード状態にある画素セルＰのみを繰り返し放電発光させるべきサスティンパルスをＰＤＰ１００の全行電極に印加する。尚、図３に示される実施例においては、サブフィールドＳＦ０には最小の発光期間が割り当てられている。【００６０】
ここで、上記主画像表示駆動行程（サブフィールドＳＦ１〜ＳＦ８）の実行によれば、上記画像信号ＶＳに基づく画素駆動データＧＤ１〜ＧＤ８に応じて、図４に示す如くサブフィールドＳＦ１から連続したサブフィールドＳＦ（白丸にて示す）各々のサスティン行程Ｉにて画素セルＰの発光が為される。つまり、画像信号ＶＳによって示される輝度レベルに応じて、図４に示す如き９通りの発光パターの内のいずれか１によって画素セルＰの発光が為されるのである。この際、１フレーム表示期間内での総発光期間に対応した中間輝度が視覚される。すなわち、図４に示す如き９通りの発光パターンによれば、上記画像信号ＶＳによって示される輝度レベルを９段階にて表す、いわゆる９階調分の中間輝度が表現されるのである。【００６１】
よって、例えば、端末装置１２から３つの画像Ａ〜画像Ｃに対応した画像信号ＶＳが供給された場合には、図１３に示す如く、ＰＤＰ１００の画面上には画像Ａ、画像Ｂ、画像Ｃが夫々表示される。【００６２】
一方、２次元コード表示駆動行程（サブフィールドＳＦ０）の実行によれば、上記ＵＲＬ信号に基づく画素駆動データＧＤ０に応じて、サブフィールドＳＦ０のサスティン行程Ｉにて各画素セルＰの発光が為される。すなわち、端末装置１２から供給された上記画像Ａ〜Ｃ各々に関連するＵＲＬを表す２次元コードに基づく点灯及び消灯パターンが、図１３に示す如く、その画像に対応した領域内の画素ブロックＰＢ（破線にて囲まれた領域）単位にて表示される。尚、上述した如くサブフィールドＳＦ０のサスティン行程Ｉにて実施される発光期間は、上記２次元コードに基づく点灯及び消灯パターンを視覚することが出来ない程度に短期間に設定されている。よって、実際には、ＰＤＰ１００の画面上において、画像Ａ〜Ｃのみが視覚されることになる。【００６３】
図１２に示されるカメラ付き携帯電話機１９は、ＵＲＬ読取モード時において、そのカメラに搭載されているシャッターボタンが押圧されると、図３又は図８に示されるサブフィールドＳＦ０のサスティン行程Ｉの実行期間中のみにシャッターが開く。よって、例えば、図１３に示す如く、カメラ付き携帯電話機１９によって画像Ｃの撮影を行うと、画像Ｃに関連するＵＲＬを表す２次元コードに基づく点灯及び消灯パターンが撮影される。すると、カメラ付き携帯電話機１９は、撮影された上記２次元コードに基づく点灯及び消灯パターンに基づきＵＲＬ情報を復元し、このＵＲＬにてインターネット１３に対してアクセスを行う。これにより、カメラ付き携帯電話機１９において、上記画像Ｃに関連する情報が取得されるのである。【００６４】
尚、上記実施例１にて示される電子黒板、又は実施例２にて示される情報提供システムにおいては、表示装置としてプラズマディスプレイパネル（ＰＤＰ１００）を用いるようにしているが、これに限定されるものではない。要するに、入力映像信号に基づいて各画素セルを点灯モード及び消灯モードの内の一方に設定するアドレス行程と、点灯モードに設定されている画素セルのみを予め割り当てられている発光期間に亘り発光させるサスティン行程と、を実行するサブフィールドの複数によって表示駆動が為されるディスプレイであれば、如何なるディスプレイを採用しても良いのである。【００６５】
又、上記実施例１及び２においては、１フレーム（又は１フィールド）分の単位表示期間内において９個のサブフィールドＳＦ０〜ＳＦ９によってディスプレイ（ＰＤＰ１００）を表示駆動しているが、サブフィールドの数は９個に限定されるものではない。【００６６】
要するに、単位表示期間毎にＮ個（Ｎは２以上の整数）のサブフィールドの内の１つを２次元コードの如き情報コードを表示する為のサブフィールドとし、その他のサブフィールドの各々を、主画像を表示する為のサブフィールドとすれば良いのである。これにより、入力画像信号に応じた主画像中に不可視の状態で２次元コードの如き情報コードを重畳表示させることが可能となるので、上記実施例１の如き電子黒板及び実施例２の如き情報提供システムを実現することが可能となる。
【産業上の利用可能性】
【００６７】
入力画像信号に応じた主画像中に不可視の状態で２次元コードの如き情報コードを重畳表示させることが可能となるので、情報コードを提供しつつも主画像の全てを縮小させることなく表示できるようになる。
【図１】
2007119523.tif 000003
【図２】
2007119523.tif 000004
【図３】
2007119523.tif 000005
【図４】
2007119523.tif 000006
【図５】
2007119523.tif 000007
【図６】
2007119523.tif 000008
【図７】
2007119523.tif 000009
【図８】
2007119523.tif 000010
【図９】
2007119523.tif 000011
【図１０】
2007119523.tif 000012
【図１１】
2007119523.tif 000013
【図１２】
2007119523.tif 000014
【図１３】
2007119523.tif 000015
【国際調査報告】
2007119523.tif 000016
2007119523.tif 000017
2007119523.tif 000018